(57)【要約】【課題】操作性を向上させることができる蓋付きカップ容器を提供する。【解決手段】内容物が収容されるとともに、上端開口２ａが第１シール材３によって封止されたカップ本体２と、第１シール材３を上方から覆う蓋体４と、を備える蓋付きカップ容器１であって、先端に刃部６８が形成された筒状の切刃部材６２が備えられ、蓋体４は、添加剤が収容される収容室２７を有するとともに、切刃部材６２が収容室２７内に差込可能に形成され、切刃部材６２には、差込孔３２に差し込まれて第１シール材３を破断したときに、切刃部材６２の内側を通して、収容室２７内とカップ本体２内とを連通させる側方開口部６７が形成されていることを特徴とする。【選択図】図３
2015048087.tif 000002
【特許請求の範囲】
【請求項１】
内容物が収容されるとともに、上端開口が第１シール材によって封止されたカップ本体と、
前記第１シール材を上方から覆う蓋体と、
を備える蓋付きカップ容器であって、
先端に刃部が形成された筒状の切刃部材が備えられ、
前記蓋体は、添加剤が収容される収容室を有するとともに、前記切刃部材が前記収容室内に差込可能に形成され、
前記切刃部材には、前記収容室内に差し込まれて前記第１シール材を破断したときに、前記切刃部材の内側を通して、前記収容室内と前記カップ本体内とを連通させる側方開口部が形成されていることを特徴とする蓋付きカップ容器。
【請求項２】
前記蓋体は、内部が前記収容室とされた有頂筒状に形成され、その開放端が第２シール材で閉塞されていることを特徴とする請求項１記載の蓋付きカップ容器。
【請求項３】
前記切刃部材には、前記蓋体に係止される係止突部が形成されていることを特徴とする請求項１または請求項２記載の蓋付きカップ容器。
【請求項４】
前記カップ本体と前記蓋体とを接続する接続リングが備えられ、
前記切刃部材は、前記接続リングに破断可能な弱化部を介して連結されるとともに、前記接続リングと一体に形成されていることを特徴とする請求項１から請求項３の何れか１項に記載の蓋付きカップ容器。
【請求項５】
前記蓋体は、前記収容室内に開口する差込孔と、
前記差込孔内に配置された内挿体と、
前記内挿体と前記差込孔の内周縁とを連結するとともに、折曲変形自在な連結部と、を備え、
前記蓋体には、前記差込孔を上方から閉塞するラベルが貼着されていることを特徴とする請求項１から請求項４の何れか１項に記載の蓋付きカップ容器。
【発明の詳細な説明】
【技術分野】
【０００１】
本発明は、蓋付きカップ容器に関する。
【背景技術】
【０００２】
従来、蓋付きカップ容器として、例えば下記特許文献１に示されるように、内容物が収容されるとともに、上端開口がシール材によって封止されたカップ本体と、シール材を上方から覆う蓋体と、蓋体に離脱自在に装着され、添加剤が収容された副容器と、を備えた構成が知られている。
この種の蓋付きカップ容器では、まずカップ本体から蓋体を取り外した後、カップ本体のシール材を剥がしてカップ本体を開封する。その後、蓋体から副容器を離脱させ、副容器を開封した後、副容器内の添加剤をカップ本体内に注出することで、内容物と添加剤とがカップ本体内で混合されるようになっている。
【先行技術文献】
【特許文献】
【０００３】
【特許文献１】実公平６−３４３１０号公報
【発明の概要】
【発明が解決しようとする課題】
【０００４】
しかしながら、上述した従来の蓋付きカップ容器にあっては、カップ本体のシール材を開封する開封操作と、蓋体から副容器を離脱させて副容器を開封する添加剤の添加操作と、を別々に行う必要がある。そのため、操作性を向上させる点で改善の余地があった。
【０００５】
本発明は、このような事情に鑑みてなされたものであって、操作性を向上させることができる蓋付きカップ容器を提供することを目的としている。
【課題を解決するための手段】
【０００６】
上記課題を解決するために、本発明は以下の手段を提案している。
本発明に係る蓋付きカップ容器は、内容物が収容されるとともに、上端開口が第１シール材によって封止されたカップ本体と、前記第１シール材を上方から覆う蓋体と、を備える蓋付きカップ容器であって、先端に刃部が形成された筒状の切刃部材が備えられ、前記蓋体は、添加剤が収容される収容室を有するとともに、前記切刃部材が前記収容室内に差込可能に形成され、前記切刃部材には、前記収容室内に差し込まれて前記第１シール材を破断したときに、前記切刃部材の内側を通して、前記収容室内と前記カップ本体内とを連通させる側方開口部が形成されていることを特徴とする。
【０００７】
このような特徴により、切刃部材が収容室内に差し込まれて第１シール材を破断すると、切刃部材がカップ本体内及び蓋体の外部でそれぞれ開口することで、カップ本体内と蓋体の外部とが切刃部材内を通して連通する。これにより、蓋付きカップ容器の開封操作が行われる。
さらに、切刃部材には、収容室内に差し込まれて第１シール材を破断するときに、切刃部材の内側を通して、収容室内とカップ本体内とを連通させる側方開口部が形成されているため、上述した開封操作と同時に、切刃部材の側方開口部が収容室内で開口することで、収容室内が切刃部材内を通してカップ本体内に連通する。すると、収容室内の添加剤は、側方開口部を通して切刃部材内に流入した後、切刃部材内を通ってカップ本体内に流入する。これにより、添加物の添加操作が行われ、カップ本体内において添加剤と内容物とが混合される。
以上より、蓋付きカップ容器の開封操作と同時に、添加剤の添加操作を行うことができるので、従来のように開封操作と添加操作とを別々に行う場合に比べて操作性を向上させることができる。
【０００８】
また、前記蓋体は、内部が前記収容室とされた有頂筒状に形成され、その開放端が第２シール材で閉塞されていてもよい。
この構成によれば、蓋体の開放端が第２シール材で閉塞されているので、収容室の密閉性を高めることができる。
【０００９】
また、前記切刃部材には、前記蓋体に係止される係止突部が形成されていてもよい。
この構成によれば、蓋体に係止される係止突部が切刃部材に形成されているため、係止突部が蓋体に突き当たるまで切刃部材を押し込むだけで、蓋体に対する切刃部材の位置を位置決めできる。これにより、操作性をより向上させることができる。
【００１０】
また、前記カップ本体と前記蓋体とを接続する接続リングが備えられ、前記切刃部材は、前記接続リングに破断可能な弱化部を介して連結されるとともに、前記接続リングと一体に形成されていてもよい。
この構成によれば、切刃部材が弱化部を介して接続リングに一体的に形成されているため、部品点数の削減を図ることができる。
【００１１】
また、前記蓋体は、前記収容室内に開口する差込孔と、前記差込孔内に配置された内挿体と、前記内挿体と前記差込孔の内周縁とを連結するとともに、折曲変形自在な連結部と、を備え、前記蓋体には、前記差込孔を上方から閉塞するラベルが貼着されていてもよい。
この構成によれば、蓋体に差込孔が形成されているため、切刃部材が収容室内に差し込み易くなり、操作性の更なる向上を図ることができる。
また、差込孔がラベルにより上方から閉塞されるとともに、差込孔内に内挿体が配置されているため、内挿体によってラベルを下方から支持することができる。これにより、ラベルのうち差込孔上に位置する部分が下方に向けて窪むのを抑制することが可能になり、蓋付きカップ容器の見映えを向上させることができるとともに、ラベルが破れるのを抑制できる。
さらに、内挿体は、折曲変形可能な連結部を介して差込孔の内周縁に連結されているため、切刃部材を差込孔内に差し込む際には、連結部が折曲変形しながら、内挿体が下方に向けて押し込まれ、差込孔が拡開されることになる。これにより、内挿体によって蓋付きカップ容器の開封操作が阻害されることもない。
【００１２】
また、前記切刃部材は、先端に前記刃部が形成された刃筒部と、前記刃筒部の基端に接続された基筒部と、を備え、前記基筒部は、前記刃筒部と同軸に配置されるとともに、前記刃筒部よりも大径に形成され、前記側方開口部は、前記基筒部に形成されるとともに、前記基筒部の先端縁で開口していてもよい。
この構成によれば、側方開口部が基筒部の先端縁で開口しているため、切刃部材の成形時において、型抜きが容易になり、金型構造の複雑化を抑えることができる。これにより、切刃部材を容易に形成することができ、製造効率の向上を図ることができる。
【００１３】
また、前記接続リング及び前記切刃部材それぞれの中心軸線は、同じ向きに延在していてもよい。
この構成によれば、接続リング及び切刃部材の成形時において、型抜きが容易になり、金型構造の複雑化を抑えることができる。これにより、接続リング及び切刃部材を容易に形成することができ、製造効率の向上を図ることができる。
【発明の効果】
【００１４】
本発明に係る蓋付きカップ容器によれば、操作性を向上させることができる。
【図面の簡単な説明】
【００１５】
【図１】蓋付きカップ容器の開封前の状態を示す図であって、（ａ）は平面図であり、（ｂ）は（ａ）のＡ−Ａ線に沿う断面図である。
【図２】接続リングの断面図である。
【図３】蓋付きカップ容器の開封後の状態を示す図であって、図１（ｂ）に相当する断面図である。
【発明を実施するための形態】
【００１６】
以下、本発明の実施形態について、図面を参照して説明する。
図１に示すように、本実施形態の蓋付きカップ容器１は、内容物が収容されるとともに、上端開口２ａが破断可能な第１シール材３によって封止された有底筒状のカップ本体２と、第１シール材３を上方から覆う有頂筒状の蓋体４と、これらカップ本体２及び蓋体４を接続する接続リング５と、を備えている。なお、内容物としては例えば液体が好適とされる。
【００１７】
ここで、カップ本体２、蓋体４、及び接続リング５は、それぞれの中心軸が共通軸上に位置している。以下、この共通軸を容器軸Ｏ１といい、容器軸Ｏ１に沿うカップ本体２側を単に下側、蓋体４側を単に上側という。さらに、容器軸Ｏ１に直交する方向を径方向といい、容器軸Ｏ１周りに周回する方向を周方向という。
【００１８】
カップ本体２の胴部２ｂは、下方から上方に向かうに従い漸次拡径されている。
胴部２ｂの下部内面には、径方向の内側に向けて突出する複数のカップ側突起部１１が周方向に間欠的に形成されている。これらカップ側突起部１１は、複数のカップ本体２を容器軸Ｏ１方向に積み重ねる際に、一方のカップ本体２の底壁部２ｃが他方のカップ本体２のカップ側突起部１１に上方から当接して、両者が密着するのを抑制するためのものである。これにより、スタック性を向上させることができ、一方のカップ本体２を他方のカップ本体２から簡単に離脱させることができる。なお、カップ側突起部１１は図示の例のように間欠的に形成しても、全周に亘って延びる環状に形成しても構わない。
【００１９】
また、胴部２ｂの上端縁には、径方向の外側に向けて突出するフランジ部１２が全周に亘って形成されている。このフランジ部１２の上面には、上述した第１シール材３が貼着され、これによりカップ本体２の上端開口２ａが封止されている。なお、第１シール材３には、例えば合成樹脂フィルムをアルミニウム等の金属膜で被覆した熱融着性樹脂シートや、樹脂フィルム等が好適に用いられる。
【００２０】
蓋体４は、周壁部２１及び天板部２２を備え、その下端開口（開放端）４ａが破断可能な第２シール材２３により封止されている。
周壁部２１は、上方から下方に向かうに従い漸次拡径されている。
周壁部２１の内面には、径方向の内側に向けて突出する複数の蓋体側突起部２４が周方向に間欠的に形成されている。これら蓋体側突起部２４は、上述したカップ側突起部１１と同様に、複数の蓋体４を容器軸Ｏ１方向に積み重ねる際に、一方の蓋体４の天板部２２が他方の蓋体４の蓋体側突起部２４に下方から当接して、両者が密着するのを抑制するためのものである。なお、蓋体側突起部２４は図示の例のように間欠的に形成しても、全周に亘って延びる環状に形成しても構わない。
【００２１】
周壁部２１の下端縁には、径方向の外側に向けて突出するフランジ部２５が全周に亘って形成されている。このフランジ部２５の下面には、上述した第２シール材２３が貼着され、これにより蓋体４の下端開口４ａが封止されている。そして、蓋体４の内側、すなわち周壁部２１、天板部２２、及び第２シール材２３で画成された内側空間は、添加剤が密封されるとともに、後述する差込孔３２を通して後述する切刃部材６２を差込可能な収容室２７を画成している。また、蓋体４のフランジ部２５は、接続リング５を間に挟んで上述したカップ本体２のフランジ部１２に容器軸Ｏ１方向で突き合わされている。なお、添加剤としては例えば液体が好適とされる。また、第２シール材２３には、第１シール材３と同様に、例えば合成樹脂フィルムをアルミニウム等の金属膜で被覆した熱融着性樹脂シートや、樹脂フィルム等が好適に用いられる。
【００２２】
天板部２２は、径方向の内側部分が外周部分に比べて下方に向けて窪む凹部３１を有している。この凹部３１底面のうち、容器軸Ｏ１に対して径方向の一方側に位置する部分には、凹部３１を容器軸Ｏ１方向に貫通して収容室２７内に開口する差込孔３２が形成されている。この差込孔３２は、容器軸Ｏ１方向から見た平面視において、径方向の一方側に円形部分が位置し、他方側に矩形部分が位置する、いわゆる前方後円形状とされている。
【００２３】
蓋体４には、差込孔３２内に配置された内挿体３３と、この内挿体３３と差込孔３２の内周縁とを連結する折曲変形自在な連結部３４と、が一体的に形成されている。
内挿体３３は、差込孔３２内のうち円形部分内（径方向の一方側）に配設されるとともに、容器軸Ｏ１方向から見た平面視において、外径が差込孔３２の円形部分よりも小さい円形状とされている。
また、連結部３４は、径方向に向けて延びる帯状とされ、径方向の他方側に位置する基端部が差込孔３２内のうち矩形部分の内周縁に接続されるとともに、径方向の一方側に位置する先端部が差込孔３２内のうち前方部分内において内挿体３３の外周縁に接続されている。
【００２４】
また、天板部２２には、凹部３１を上方から覆うとともに、破断可能なラベル４１がインモールド成形等によって固着されている。ラベル４１は、天板部２２のうち、上述した内挿体３３及び連結部３４を含む凹部３１底面の全域に亘って固着されている。
なお、ラベル４１は、凹部３１底面に貼着等により形成してもよい。また、ラベル４１は、少なくとも差込孔３２を覆っていれば、その形成範囲は適宜設計変更が可能である。また、ラベル４１を通して蓋体４の外部から差込孔３２を視認し易くするために、ラベル４１に明示部を形成したり、凹部３１底面に差込孔３２を示す凹凸部等を形成したりしても構わない。
【００２５】
図１、図２に示すように、接続リング５は、リング本体部５１と、リング本体部５１から径方向の内側に向けて突設された内フランジ部５２と、を備えている。
リング本体部５１は、カップ本体２及び蓋体４のうち、少なくともフランジ部１２，２５を径方向の外側から囲繞する筒状とされている。リング本体部５１の下部には、カップ本体２のフランジ部１２を下方から支持するカップ側支持部５３が径方向の内側に向けて突設されている。一方、リング本体部５１の上部には、蓋体４のフランジ部２５を上方から支持する蓋側支持部５４が径方向の内側に向けて突設されている。これにより、蓋体４が接続リング５を介してカップ本体２に着脱可能に装着されている。なお、上述した各支持部５３，５４は、全周に亘って形成しても、周方向に間欠的に形成しても構わない。
【００２６】
内フランジ部５２は、リング本体部５１のうち、容器軸Ｏ１方向に沿う上述した各支持部５３，５４同士の間に位置する部分から径方向の内側に向けて突設され、カップ本体２及び蓋体４における各フランジ部１２，２５に容器軸Ｏ１方向で挟持されている。
【００２７】
内フランジ部５２の下面には、下方に向けて突出する第１保持部５５が形成されている。第１保持部５５は、内フランジ部５２の全周に亘って形成され、カップ本体２のフランジ部１２を下方に向けて付勢している。
一方、内フランジ部５２の上面には、上方に向けて突出する第２保持部５６が形成されている。第２保持部５６は、内フランジ部５２の全周に亘って形成され、蓋体４のフランジ部２５を上方に向けて付勢している。そして、これら各保持部５５，５６により、カップ本体２及び蓋体４のフランジ部１２，２５を各支持部５３，５４に安定して支持させることができるとともに、接続リング５の内フランジ部５２とカップ本体２及び蓋体４の各フランジ部１２，２５との間を確実にシールできる。
【００２８】
ここで、接続リング５には、切刃部材６２が弱化部６１を介して一体的に連結されている。切刃部材６２は、刃筒部６３と、刃筒部６３の上端縁（基端）に接続されるとともに、刃筒部６３よりも大径に形成された基筒部６４と、を有している。これら刃筒部６３及び基筒部６４は、接続リング５に対して径方向の外側で、かつ容器軸Ｏ１方向と同じ向きに延在する共通軸と同軸に配置されている。以下、この共通軸を切刃軸Ｏ２という。なお、図１に示す例では、切刃部材６２内にストローＳが着脱自在に嵌合されているため、切刃軸Ｏ２が容器軸Ｏ１に対して僅かに傾斜しているが、図２に示す例のように接続リング５にストローＳを嵌合する前の接続リング５及び切刃部材６２の成形時には、切刃軸Ｏ２と容器軸Ｏ１は互いに平行に延在している。但し、上述した「同じ向き」とは、切刃軸Ｏ２が容器軸Ｏ１に沿って延在していれば、平行に限られない。
【００２９】
図１、図２に示すように、基筒部６４の上端縁には、切刃径方向（切刃軸Ｏ２に直交する方向）の外側に向けて突出する係止突部６６が全周に亘って形成されている。そして、係止突部６６のうち、切刃周方向（切刃軸Ｏ２周りの方向）の一部が上述した弱化部６１を介してリング本体部５１の外周面に連結されている。
基筒部６４には、基筒部６４を切刃径方向に貫通する側方開口部６７が切刃周方向に間隔をあけて形成されている。側方開口部６７は、切刃軸Ｏ２に沿って延びるとともに、基筒部６４の下端縁（先端縁）に至り、下方に向けて開放されている。
【００３０】
また、刃筒部６３の下端縁（先端）は、切刃径方向の一方側から他方側に向かうに従い、漸次上方から下方に向けて延在しており、この下端部が先鋭形状の刃部６８となっている。なお、上述したストローＳは、刃筒部６３の内周面に嵌合されている。
【００３１】
次に、上述した蓋付きカップ容器１の作用について説明する。
まず、図１に示すように、切刃部材６２からストローＳを抜き取るとともに、弱化部６１を破断して切刃部材６２をリング本体部５１から離脱させる。
【００３２】
続いて、図３に示すように、刃部６８を下向きにした状態で、切刃部材６２を差込孔３２内に向けて押し込むことで、刃部６８がラベル４１を破断して切刃部材６２が差込孔３２内に差し込まれる。その後、切刃部材６２の係止突部６６が蓋体４の凹部３１底面に突き当たるまで切刃部材６２をさらに押し込むことで、刃部６８が第２シール材２３及び第１シール材３を順に破断する。すると、切刃部材６２が収容室２７を容器軸Ｏ１方向で貫通するとともに、側方開口部６７が収容室２７内及びカップ本体２内に容器軸Ｏ１方向で跨った状態で配置される。なお、側方開口部６７は、少なくとも収容室２７内に開口していれば構わない。
【００３３】
この際、切刃部材６２のうち、刃筒部６３がカップ本体２内で開口するとともに、基筒部６４が蓋体４の外部で開口することで、カップ本体２の内部と蓋体４の外部とが切刃部材６２内を通して連通する。これにより、蓋付きカップ容器１の開封操作が行われる。
【００３４】
さらに、この開封操作と同時に、切刃部材６２の側方開口部６７が収容室２７内で開口することで、収容室２７内が切刃部材６２内を通してカップ本体２内に連通する。すると、収容室２７内の添加剤は、側方開口部６７を通して切刃部材６２内に流入した後、切刃部材６２内を通ってカップ本体２内に流入する。これにより、添加物の添加操作が行われ、カップ本体２内において添加剤と内容物とが混合される。
最後に、切刃部材６２内にストローＳを差し込むことで、内容物と添加剤とが混合された混合体を、ストローＳを通して飲むことができる。
【００３５】
このように、本実施形態によれば、切刃部材６２を差込孔３２に差し込んで、シール材３，２３を破断したときに、切刃部材６２内を通して収容室２７内とカップ本体２内とを連通させる側方開口部６７が切刃部材６２に形成されているため、蓋付きカップ容器１の開封操作と同時に、添加剤の添加操作を行うことができる。これにより、従来のように開封操作と添加操作とを別々に行う場合に比べて操作性を向上させることができる。
また、蓋体４の下端開口４ａが第２シール材２３で閉塞されているので、収容室２７の密閉性を高めることができる。
【００３６】
また、本実施形態では、凹部３１底面に係止される係止突部６６が切刃部材６２に形成されているため、係止突部６６が蓋体４の凹部３１底面に突き当たるまで切刃部材６２を押し込むだけで、蓋体４に対して切刃部材６２を容器軸Ｏ１方向に位置決めできる。これにより、操作性をより向上させることができる。
【００３７】
さらに、側方開口部６７が基筒部６４の下端縁で開口しているとともに、接続リング５及び切刃部材６２の中心軸線（容器軸Ｏ１及び切刃軸Ｏ２）が同じ向きに延在しているため、型抜きが容易になり、金型構造の複雑化を抑えることができる。これにより、接続リング５及び切刃部材６２を容易に形成することができ、製造効率の向上を図ることができる。
しかも、本実施形態の切刃部材６２は、弱化部６１を介して接続リング５に一体的に形成されているため、部品点数の削減を図ることができる。
【００３８】
さらに、本実施形態では、蓋体４に差込孔３２が形成されているため、切刃部材６２が収容室２７内に差し込み易くなり、操作性の更なる向上を図ることができる。
また、差込孔３２がラベル４１により上方から閉塞されるとともに、差込孔３２内に内挿体３３が配置されているため、内挿体３３によってラベル４１を下方から支持することができる。これにより、ラベル４１のうち差込孔３２上に位置する部分が下方に向けて窪むのを抑制することが可能になり、蓋付きカップ容器１の見映えを向上させることができるとともに、ラベル４１が破れるのを抑制できる。
さらに、内挿体３３は、折曲変形可能な連結部３４を介して差込孔３２の内周縁に連結されているため、切刃部材６２を差込孔３２内に差し込む際には、連結部３４が折曲変形しながら、内挿体３３が下方に向けて押し込まれ、差込孔３２が拡開されることになる。これにより、内挿体３３によって蓋付きカップ容器１の開封操作が阻害されることもない。
【００３９】
以上、本発明の実施形態について図面を参照して詳述したが、具体的な構成はこの実施形態に限られるものではなく、本発明の要旨を逸脱しない範囲の設計変更等も含まれる。
【００４０】
例えば、上述した実施形態では、切刃部材６２と接続リング５とを一体的に形成する場合について説明したが、これに限られない。例えばカップ本体２や蓋体４と切刃部材６２とを一体的に形成してもよく、切刃部材６２を別体で形成しても構わない。
また、切刃部材６２の構成は、適宜設計変更が可能である。例えば、側方開口部６７は、少なくとも切刃部材６２の径方向に開口してればよく、また刃部６８の形状等についても適宜設計変更が可能である。
さらに、上述した実施形態では、側方開口部６７が、切刃周方向に等間隔に４箇所形成されている場合について説明したが、少なくとも１箇所形成されていれば構わない。
【００４１】
また、上述した実施形態では、蓋体４が接続リング５を介してカップ本体２に装着される構成について説明したが、これに限らず、蓋体４をカップ本体２に直接装着しても構わない。また、例えばヒンジ部等を介して、蓋体４をカップ本体２に着脱可能に連結しても構わない。
【００４２】
また、上述した実施形態では、蓋体４が第２シール材２３により閉塞された構成について説明したが、第２シール材２３は設けなくても構わない。
さらに、上述した実施形態では、ストローＳを通して内容物を飲む構成について説明したが、これに限らず、切刃部材６２を通して直接内容物を飲む構成であっても構わない。
また、内容物や添加物についての限定はなく、液体の他、粉体や粒体等、適宜変更が可能である。
【００４３】
また、上述した実施形態では、差込孔３２がラベル４１により覆われている構成について説明したが、これに限らず、差込孔３２が外部に露出していても構わない。
ここで、上述した実施形態では、蓋体４に差込孔３２が予め形成されている場合について説明したが、これに限らず、切刃部材６２が収容室２７内に差込可能に構成されていれば、初期状態において差込孔は形成されていなくても構わない。例えば、内挿体３３が弱化部や破断可能な薄肉部を介して差込孔３２の内周縁に連結され、切刃部材６２を収容室２７内に差し込んだときに差込孔が形成される構成であっても構わない。
さらに、蓋体４の天板部２２全体が破断可能に形成され、切刃部材６２が天板部２２の一部を破断することで収容室２７内に差し込まれる構成にしても構わない。
また、蓋体４を筒状に形成するとともに、その上端開口を破断可能なラベルにより覆い、切刃部材６２がラベルの一部を破断することで、収容室２７内に差し込まれる構成にしても構わない。
【００４４】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００４５】
１…蓋付きカップ容器
２…カップ本体
２ａ…上端開口
３…第１シール材
４…蓋体
４ａ…下端開口（開放端）
５…接続リング
２３…第２シール材
２７…収容室
３２…差込孔
３３…内挿体
３４…連結部
４１…ラベル
６１…弱化部
６２…切刃部材
６３…刃筒部
６４…基筒部
６６…係止突部
６７…側方開口部
６８…刃部
【図１】
2015048087.tif 000003
【図２】
2015048087.tif 000004
【図３】
2015048087.tif 000005